(57)【要約】【課題】端末の最大ドップラ周波数を推定することに適した参照信号送信スケジュールを作成することを図る。【解決手段】最大ドップラ周波数を推定するために端末が基地局へ参照信号を送信する最大ドップラ周波数推定期間と、端末から基地局へ向かう方向の通信チャネルの品質を測定するために端末が基地局へ参照信号を送信するチャネル品質測定期間とを送信スケジュールに設け、ＳＲＳスケジューラ１０は、最大ドップラ周波数推定期間に対して最大ドップラ周波数を推定するために適した参照信号送信スケジュールを作成し、チャネル品質測定期間に対して、最大ドップラ周波数推定期間に基地局で受信した参照信号を用いて推定された最大ドップラ周波数に基づいて、参照信号送信スケジュールを作成する。【選択図】図１
2011193124.tif 000002
【特許請求の範囲】
【請求項１】
無線通信システムにおいて、端末が基地局へ送信する参照信号の送信スケジュールを作成する参照信号送信スケジューリング装置であり、
最大ドップラ周波数を推定するために端末が基地局へ前記参照信号を送信する最大ドップラ周波数推定期間と、端末から基地局へ向かう方向の通信チャネルの品質を測定するために端末が基地局へ前記参照信号を送信するチャネル品質測定期間と、を前記送信スケジュールに設け、
前記最大ドップラ周波数推定期間に対して、最大ドップラ周波数を推定するために適した参照信号送信スケジュールを作成し、
前記チャネル品質測定期間に対して、前記最大ドップラ周波数推定期間に基地局で受信した前記参照信号を用いて推定された最大ドップラ周波数に基づいて、参照信号送信スケジュールを作成する、
ことを特徴とする参照信号送信スケジューリング装置。
【請求項２】
前記最大ドップラ周波数推定期間に基地局で受信した前記参照信号を用いて推定された第１の最大ドップラ周波数と、前記チャネル品質測定期間に基地局で受信した前記参照信号を用いて推定された第２の最大ドップラ周波数との差分に基づいて、前記チャネル品質測定期間から前記最大ドップラ周波数推定期間へ切り替えることを特徴とする請求項１に記載の参照信号送信スケジューリング装置。
【請求項３】
前記差分が所定回数連続して許容範囲外になった場合に、前記チャネル品質測定期間から前記最大ドップラ周波数推定期間へ切り替えることを特徴とする請求項２に記載の参照信号送信スケジューリング装置。
【請求項４】
前記最大ドップラ周波数推定期間に前記参照信号を送信する端末と、前記チャネル品質測定期間に前記参照信号を送信する端末と、前記チャネル品質測定期間に前記差分を判定する対象となる端末とを管理する端末管理部を備えたことを特徴とする請求項２又は３に記載の参照信号送信スケジューリング装置。
【請求項５】
前記最大ドップラ周波数推定期間に前記参照信号を送信する端末を登録する第１の登録テーブルと、
前記チャネル品質測定期間に前記参照信号を送信する端末を登録する第２の登録テーブルと、
前記チャネル品質測定期間に前記差分を判定する対象となる端末を登録する第３の登録テーブルと、
を備えたことを特徴とする請求項４に記載の参照信号送信スケジューリング装置。
【請求項６】
請求項１から５のいずれか１項に記載の参照信号送信スケジューリング装置と、
前記参照信号送信スケジューリング装置が作成した参照信号送信スケジュールにおける最大ドップラ周波数推定期間に端末から受信した参照信号を用いて最大ドップラ周波数を推定する最大ドップラ周波数推定部と、
前記参照信号送信スケジューリング装置が作成した参照信号送信スケジュールにおけるチャネル品質測定期間に端末から受信した参照信号を用いて通信チャネル品質を測定するチャネル品質測定部と、
を備えたことを特徴とする基地局装置。
【請求項７】
無線通信システムにおいて端末が基地局へ送信する参照信号の送信スケジュールを作成する参照信号送信スケジューリング方法であり、
最大ドップラ周波数を推定するために端末が基地局へ前記参照信号を送信する最大ドップラ周波数推定期間と、端末から基地局へ向かう方向の通信チャネルの品質を測定するために端末が基地局へ前記参照信号を送信するチャネル品質測定期間と、を前記送信スケジュールに設け、
前記最大ドップラ周波数推定期間に対して、最大ドップラ周波数を推定するために適した参照信号送信スケジュールを作成するステップと、
前記チャネル品質測定期間に対して、前記最大ドップラ周波数推定期間に基地局で受信した前記参照信号を用いて推定された最大ドップラ周波数に基づいて、参照信号送信スケジュールを作成するステップと、
を含むことを特徴とする参照信号送信スケジューリング方法。
【発明の詳細な説明】
【技術分野】
【０００１】
本発明は、参照信号送信スケジューリング装置、基地局装置および参照信号送信スケジューリング方法に関する。
【背景技術】
【０００２】
近年、標準化団体の３ＧＰＰ（3rd Generation Partnership Project）において、ＬＴＥ（Long Term Evolution）システムの標準化作業が進められている。ＬＴＥシステムは、下り（基地局から端末へ向かう方向）の通信速度が１００Ｍｂｐｓ以上、上り（端末から基地局へ向かう方向）の通信速度が５０Ｍｂｐｓ以上である高速通信を実現することを目指したセルラ方式の無線通信システムである。ＬＴＥシステムは、周波数分割複信方式と時間分割複信方式とに対応する。
【０００３】
周波数分割複信方式では、基地局は、下りリンクの受信品質を知るために、端末が下りリンクのチャネル品質指標（channel quantity indicator：ＣＱＩ）を基地局へ送信する周期などを端末へ指示する。そして、端末がその指示に従って下りリンクのＣＱＩを基地局へ定期的にフィードバックする。一方、基地局は、上りリンクの受信品質を知るために、端末が参照信号（サウンディング・リファレンス信号（Sounding Reference Signal：ＳＲＳ）と呼ばれる）を基地局へ送信する周期などを定めたＳＲＳ関連パラメータを端末へ通知する。そして、端末がそのＳＲＳ関連パラメータに従ってＳＲＳを基地局へ定期的に送信し、基地局がそのＳＲＳを受信して上りリンクのチャネル品質を測定する。
【先行技術文献】
【非特許文献】
【０００４】
【非特許文献１】3GPP TS 36.211 V8.7.0，2009年5月
【非特許文献２】3GPP TS 36.213 V8.7.0，2009年5月
【非特許文献３】3GPP TS36.331 V8.6.0，2009年6月
【発明の概要】
【発明が解決しようとする課題】
【０００５】
端末が送信する下りリンクのＣＱＩと上りリンクのチャネル品質測定用ＳＲＳとは、上りリンクの無線リソースを使用して端末から基地局へ送信されるので、無線リソースを有効に利用するためには、端末のチャネル品質変動周期に従って、下りリンクのＣＱＩをフィードバックする周期やＳＲＳ関連パラメータを設定することが望ましい。
【０００６】
端末のチャネル品質変動周期はコヒーレンス時間を用いて表現することができる。ここでのコヒーレンス時間は、端末のチャンネル品質の変動を無視できる時間のことである。一般的に、端末のチャネル品質変動周期を表すコヒーレンス時間は、端末の最大ドップラ周波数の逆数に正比例する。つまり、最大ドップラ周波数が高いほどコヒーレンス時間が短くなり、最大ドップラ周波数が低いほどコヒーレンス時間が長くなる。
【０００７】
従って、端末の最大ドップラ周波数を精度よく推定することができれば、端末のチャネル品質変動周期を精度よく得ることができるので、端末のチャネル品質変動周期に従って、下りリンクのＣＱＩをフィードバックする周期やＳＲＳ関連パラメータを設定することにより、効率的に無線リソースを使用することができるようになる。
【０００８】
本発明は、このような事情を考慮してなされたもので、端末の最大ドップラ周波数を推定することに適した参照信号送信スケジュールを作成することができる参照信号送信スケジューリング装置、基地局装置および参照信号送信スケジューリング方法を提供することを課題とする。
【課題を解決するための手段】
【０００９】
上記の課題を解決するために、本発明に係る参照信号送信スケジューリング装置は、無線通信システムにおいて、端末が基地局へ送信する参照信号の送信スケジュールを作成する参照信号送信スケジューリング装置であり、最大ドップラ周波数を推定するために端末が基地局へ前記参照信号を送信する最大ドップラ周波数推定期間と、端末から基地局へ向かう方向の通信チャネルの品質を測定するために端末が基地局へ前記参照信号を送信するチャネル品質測定期間と、を前記送信スケジュールに設け、前記最大ドップラ周波数推定期間に対して、最大ドップラ周波数を推定するために適した参照信号送信スケジュールを作成し、前記チャネル品質測定期間に対して、前記最大ドップラ周波数推定期間に基地局で受信した前記参照信号を用いて推定された最大ドップラ周波数に基づいて、参照信号送信スケジュールを作成することを特徴とする。
【００１０】
本発明に係る参照信号送信スケジューリング装置においては、前記最大ドップラ周波数推定期間に基地局で受信した前記参照信号を用いて推定された第１の最大ドップラ周波数と、前記チャネル品質測定期間に基地局で受信した前記参照信号を用いて推定された第２の最大ドップラ周波数との差分に基づいて、前記チャネル品質測定期間から前記最大ドップラ周波数推定期間へ切り替えることを特徴とする。
【００１１】
本発明に係る参照信号送信スケジューリング装置においては、前記差分が所定回数連続して許容範囲外になった場合に、前記チャネル品質測定期間から前記最大ドップラ周波数推定期間へ切り替えることを特徴とする。
【００１２】
本発明に係る参照信号送信スケジューリング装置において、前記最大ドップラ周波数推定期間に前記参照信号を送信する端末と、前記チャネル品質測定期間に前記参照信号を送信する端末と、前記チャネル品質測定期間に前記差分を判定する対象となる端末とを管理する端末管理部を備えたことを特徴とする。
【００１３】
本発明に係る参照信号送信スケジューリング装置において、前記最大ドップラ周波数推定期間に前記参照信号を送信する端末を登録する第１の登録テーブルと、前記チャネル品質測定期間に前記参照信号を送信する端末を登録する第２の登録テーブルと、前記チャネル品質測定期間に前記差分を判定する対象となる端末を登録する第３の登録テーブルと、を備えたことを特徴とする。
【００１４】
本発明に係る基地局装置は、前述のいずれかの参照信号送信スケジューリング装置と、前記参照信号送信スケジューリング装置が作成した参照信号送信スケジュールにおける最大ドップラ周波数推定期間に端末から受信した参照信号を用いて最大ドップラ周波数を推定する最大ドップラ周波数推定部と、前記参照信号送信スケジューリング装置が作成した参照信号送信スケジュールにおけるチャネル品質測定期間に端末から受信した参照信号を用いて通信チャネル品質を測定するチャネル品質測定部と、を備えたことを特徴とする。
【００１５】
本発明に係る参照信号送信スケジューリング方法は、無線通信システムにおいて端末が基地局へ送信する参照信号の送信スケジュールを作成する参照信号送信スケジューリング方法であり、最大ドップラ周波数を推定するために端末が基地局へ前記参照信号を送信する最大ドップラ周波数推定期間と、端末から基地局へ向かう方向の通信チャネルの品質を測定するために端末が基地局へ前記参照信号を送信するチャネル品質測定期間と、を前記送信スケジュールに設け、前記最大ドップラ周波数推定期間に対して、最大ドップラ周波数を推定するために適した参照信号送信スケジュールを作成するステップと、前記チャネル品質測定期間に対して、前記最大ドップラ周波数推定期間に基地局で受信した前記参照信号を用いて推定された最大ドップラ周波数に基づいて、参照信号送信スケジュールを作成するステップと、を含むことを特徴とする。
【発明の効果】
【００１６】
本発明によれば、端末の最大ドップラ周波数を推定することに適した参照信号送信スケジュールを作成することができる。
【図面の簡単な説明】
【００１７】
【図１】本発明の一実施形態に係るＬＴＥシステムの概略構成図である。
【図２】同実施形態に係るＳＲＳ送信スケジューリング方法の手順を示すフローチャートである。
【図３】同実施形態に係るＳＲＳ送信スケジューリング方法の手順を示すフローチャートである。
【図４】同実施形態に係るＳＲＳ送信スケジューリング方法の手順を示すフローチャートである。
【図５】同実施形態に係るＳＲＳ送信スケジューリング方法の手順を示すフローチャートである。
【図６】図１に示すフェーズ１登録テーブル３４の構成例である。
【図７】図１に示すフェーズ２登録テーブル３６の構成例である。
【図８】図１に示す追従判定フェーズ登録テーブル３８の構成例である。
【図９】図１に示す追従判定フェーズ登録テーブル３８の構成例である。
【図１０】図１に示すフェーズ１登録テーブル３４の構成例である。
【図１１】本発明の一実施形態に係る最大ドップラ周波数推定期間およびチャネル品質測定期間の例である。
【図１２】一般的なＳＲＳ送信スケジュールの例である。
【図１３】ＬＴＥ規格の抜粋である。
【図１４】本発明の一実施形態に係るＳＲＳ多重方法の選択手順の例である。
【図１５】本発明の一実施形態に係るＳＲＳ多重方法の選択手順の他の例である。
【発明を実施するための形態】
【００１８】
以下、図面を参照し、本発明の実施形態について説明する。
図１は、本発明の一実施形態に係るＬＴＥシステムの概略構成図である。図１には、上りリンクのＳＲＳ送信に係る構成および上りリンクのチャネル品質測定に係る構成を示している。
【００１９】
図１において、基地局２は、ＳＲＳスケジューラ１０と情報入力部１２とチャネル品質測定部１４と最大ドップラ周波数推定部１６とＳＲＳ受信部１８とＳＲＳ関連パラメータ通知部２０とを有する。端末１００はＳＲＳ送信部１０２を有する。基地局２は、ＳＲＳ関連パラメータを端末１００へ通知する。端末１００は、そのＳＲＳ関連パラメータに従って、ＳＲＳを基地局２へ送信する。ＳＲＳ関連パラメータは、上りリンクのＳＲＳ送信スケジュールを特定する情報である。
【００２０】
ここで、ＳＲＳ関連パラメータを簡単に説明する。ＳＲＳ関連パラメータとして以下に示すパラメータがある。
（１）srs-Bandwidth：端末ごとのＳＲＳ送信帯域であり、リソース・ブロック（Resource Block：ＲＢ）数で表される。ＲＢは、一定の周波数帯域幅（サブキャリア数）と一定の時間幅（ＯＦＤＭシンボル数）を有する無線リソースの割当単位である。
（２）srs-HoppingBandwidth：ＳＲＳ送信におけるホッピング（Hopping）パターンである。例えば、ＬＴＥシステムのシステム帯域が「ＲＢ数＝５０」、ＳＲＳの帯域が「ＲＢ数＝４８」、端末のＳＲＳ送信帯域（srs-Bandwidth）が「ＲＢ数＝４」である場合において、「srs-HoppingBandwidth＝３」であるときは周波数軸におけるＳＲＳのホッピングを行わず、「srs-HoppingBandwidth≠３」であるときは周波数軸におけるＳＲＳのホッピングを行う。
（３）duration：一回のみＳＲＳ送信する「single」又は連続してＳＲＳ送信する「indefinite」のいずれかの選択を示す。
（４）srs-ConfigIndex：ＳＲＳ送信周期と、送信サブフレーム（Subframe）のオフセット（Offset）値とを示す。ＬＴＥシステムがサポートする、ＳＲＳ送信周期は「２ミリ秒（ｍＳ）、５ｍＳ、１０ｍＳ、２０ｍＳ、４０ｍＳ、８０ｍＳ、１６０ｍＳ、３２０ｍＳ」であり、送信サブフレームのオフセット値は０から「確定したＳＲＳ送信周期−１」までである。
（５）transmissionComb：ＳＲＳを配置するサブキャリア（Subcarrier）の選択を示す。「transmissionComb＝０」の場合、ＳＲＳを奇数サブキャリアに配置する。「transmissionComb＝１」の場合、ＳＲＳを偶数サブキャリアに配置する。
（６）cyclicShift：異なる端末のＳＲＳを符号多重する際に、選択した符号を示す。同じsrs-Bandwidthを持つ異なる端末のＳＲＳに対してサイクリック・シフト（Cyclic Shift）による符号多重を行うことができる。
（７）freqDomainPosition：端末ごとのＳＲＳ送信帯域ロジカルポジション（nRRC）である。nRRCは、４個のＲＢから構成される周波数帯域のロジカル識別子（ロジカルＩＤ）である。なお、ＳＲＳ送信帯域の物理ポジションは、セクタ共通であるＳＲＳ送信可能帯域のパラメータであるsrs-BandwidthConfigと、端末ごとのパラメータであるsrs-Bandwidth、srs-HoppingBandwidth及びfreqDomainPosition（nRRC）とＳＲＳの送信回数とから決定される。
【００２１】
説明を図１に戻す。図１に示す基地局２において、ＳＲＳスケジューラ１０は、ＳＲＳ関連パラメータを決定する。情報入力部１２は、ＳＲＳスケジューラ１０が使用する情報をＳＲＳスケジューラ１０へ入力する。チャネル品質測定部１４は、ＳＲＳ受信部１８が受信した上りリンクのＳＲＳ（受信ＳＲＳ）を用いて、上りリンクのチャネル品質を測定する。最大ドップラ周波数推定部１６は、受信ＳＲＳを用いて、最大ドップラ周波数を推定する。ＳＲＳ受信部１８は、端末１００が送信した上りリンクのＳＲＳを受信する。ＳＲＳ関連パラメータ通知部２０は、ＳＲＳスケジューラ１０が決定したＳＲＳ関連パラメータを端末１００へ通知する。
【００２２】
図１に示す端末１００において、ＳＲＳ送信部１０２は、基地局２から通知されたＳＲＳ関連パラメータに従って、上りリンクのＳＲＳを基地局へ送信する。
【００２３】
図１に示すＳＲＳスケジューラ１０は、端末（ＵＥ）管理部３０とスケジューリング部３２とフェーズ１登録テーブル３４とフェーズ２登録テーブル３６と追従判定フェーズ登録テーブル３８とを有する。
【００２４】
本実施形態では、上りリンクのＳＲＳ送信スケジュールにおいて、最大ドップラ周波数推定期間（フェーズ１）とチャネル品質測定期間（フェーズ２）とを設ける。最大ドップラ周波数推定期間は、最大ドップラ周波数を推定するために端末１００が基地局２へＳＲＳを送信する期間である。ＳＲＳスケジューラ１０は、最大ドップラ周波数推定期間に対して、最大ドップラ周波数を推定するために適したＳＲＳ送信スケジュールを作成する。
【００２５】
チャネル品質測定期間は、上りリンクのチャネル品質を測定するために端末１００が基地局２へＳＲＳを送信する期間である。ＳＲＳスケジューラ１０は、チャネル品質測定期間に対して、最大ドップラ周波数推定期間に基地局２で受信した受信ＳＲＳを用いて推定された最大ドップラ周波数に基づいて、ＳＲＳ送信スケジュールを作成する。これにより、チャネル品質測定期間に対して、端末のチャネル品質変動周期に応じたＳＲＳ送信スケジュールを作成することができる。
【００２６】
ＵＥ管理部３０は、最大ドップラ周波数推定期間にＳＲＳを送信する端末１００と、チャネル品質測定期間にＳＲＳを送信する端末１００とを管理する。又、ＵＥ管理部３０は、最大ドップラ周波数の追従判定フェーズにおいて判定対象となる端末１００を管理する。
【００２７】
スケジューリング部３２は、最大ドップラ周波数推定期間のＳＲＳ関連パラメータと、チャネル品質測定期間のＳＲＳ関連パラメータとを決定する。
【００２８】
フェーズ１登録テーブル３４は、最大ドップラ周波数推定期間にＳＲＳを送信する端末１００を登録するテーブルである。フェーズ２登録テーブル３６は、チャネル品質測定期間にＳＲＳを送信する端末１００を登録するテーブルである。追従判定フェーズ登録テーブル３８は、最大ドップラ周波数の追従判定フェーズにおいて判定対象となる端末１００を登録するテーブルである。
【００２９】
次に、図２から図５までのフローチャートを参照して、本実施形態に係る基地局２の動作を説明する。図２から図５は、本実施形態に係るＳＲＳ送信スケジューリング方法の手順を示すフローチャートである。
【００３０】
ＬＴＥシステムの上りリンクでは、各サブフレームにおいてＳＲＳが送信される。以下の説明では、サブフレームの時間的な順序に沿ったサブフレーム番号（連続する整数であり、時間の経過に沿って１ずつ増加する）を設け、サブフレーム番号を用いて時間の経過に沿った基地局２の動作を説明する。図１１に、以下の説明で用いるサブフレーム番号を用いた時間の経過を示す。
【００３１】
又、以下の説明では、現在のＳＲＳ送信スケジューリング対象であるサブフレームのことを現対象サブフレームと称する。
【００３２】
まず、図２の処理を説明する。図２の処理は、現対象サブフレームが第（ｎ−１）番サブフレームになった時に開始される。ステップＳ１では、ＵＥ管理部３０が、ＲＲＣ＿Ｉｄｌｅ状態から新たにＲＲＣ＿ｃｏｎｎｅｃｔｅｄ状態になった端末１００を検出する。この結果、端末１００が検出された場合にはステップＳ３に進み、端末１００が検出されなかった場合には図２の処理を終了する。ステップＳ３では、ＵＥ管理部３０が、検出した端末１００をフェーズ１登録テーブル３４の「サブフレーム番号＝ｎ」の欄に登録する。
【００３３】
図６にフェーズ１登録テーブル３４の構成例が示されている。図６の例では、新たにＲＲＣ＿ｃｏｎｎｅｃｔｅｄ状態になった端末１００（端末識別子（端末ＩＤ）：ＵＥ＿Ａ）が検出され、該端末１００（端末ＩＤ：ＵＥ＿Ａ）がフェーズ１登録テーブル３４の「サブフレーム番号＝ｎ」の欄に登録されている。
【００３４】
なお、ＲＲＣ＿ｃｏｎｎｅｃｔｅｄ状態は、基地局２と端末１００とがＲＲＣメッセージを送受することができる状態である。ＳＲＳ関連パラメータは、ＲＲＣメッセージで基地局２から端末１００へ通知される。
【００３５】
次に図３の処理を説明する。図３の処理は、現対象サブフレームが第ｎ番サブフレームになった時に開始される。ステップＳ１１では、ＵＥ管理部３０がフェーズ１登録テーブル３４の「サブフレーム番号＝ｎ」の欄に登録されている端末１００の端末ＩＤをスケジューリング部３２に通知する。そして、スケジューリング部３２がその通知された端末ＩＤの端末１００に対して、第ｎ番サブフレームから始まる最大ドップラ周波数推定期間のＳＲＳ関連パラメータを割り当てることができるか否かを判定する。スケジューリング部３２は、当該端末１００に対して、第ｎ番サブフレームから始まる最大ドップラ周波数推定期間のＳＲＳ関連パラメータを割り当てることができる場合には、該最大ドップラ周波数推定期間のＳＲＳ関連パラメータを割り当てる。スケジューリング部３２は、当該端末１００に対するＳＲＳ関連パラメータの割当結果をＳＲＳ関連パラメータ通知部２０へ通知する。ＳＲＳ関連パラメータ通知部２０は、当該端末１００へ、該ＳＲＳ関連パラメータの割当結果を通知する。
【００３６】
図１１において、第ｎ番サブフレームから始まる最大ドップラ周波数推定期間は、第ｎ番サブフレームから第（ｎ＋Ｐ−１）番サブフレームまでのＰ個のサブフレームから成る。最大ドップラ周波数推定期間の長さ（サブフレーム数：Ｐ）は、予め設定され、情報入力部１２から入力される。
【００３７】
ステップＳ１１の結果、ＳＲＳ関連パラメータを割り当てることができる場合にはステップＳ１３に進み（ステップＳ１２、ＹＥＳ）、ＳＲＳ関連パラメータを割り当てることができない場合にはステップＳ１４に進む（ステップＳ１２、ＮＯ）。
【００３８】
ステップＳ１３では、ＵＥ管理部３０が、ステップＳ１１でＳＲＳ関連パラメータを割り当てることができると判定された端末１００をフェーズ２登録テーブル３６の「サブフレーム番号＝ｎ＋Ｐ」の欄に登録する。
【００３９】
図７にフェーズ２登録テーブル３６の構成例が示されている。図７の例では、図６のフェーズ１登録テーブル３４の「サブフレーム番号＝ｎ」の欄に登録されている端末１００（端末ＩＤ：ＵＥ＿Ａ）に対して第ｎ番サブフレームから始まる最大ドップラ周波数推定期間のＳＲＳ関連パラメータを割り当てることができると判定され、該端末１００（端末ＩＤ：ＵＥ＿Ａ）がフェーズ２登録テーブル３６の「サブフレーム番号＝ｎ＋Ｐ」の欄に登録されている。
【００４０】
ステップＳ１４では、ＵＥ管理部３０が、ステップＳ１１でＳＲＳ関連パラメータを割り当てることができないと判定された端末１００をフェーズ１登録テーブル３４の「サブフレーム番号＝ｎ＋１」の欄に登録する。この端末１００に対しては、現対象サブフレームが第（ｎ＋１）番サブフレームになった時に、再度、図３の処理が実行される。
【００４１】
次に図４の処理を説明する。図４の処理は、現対象サブフレームが第（ｎ＋Ｐ）番サブフレームになった時に開始される。ステップＳ２１では、ＵＥ管理部３０がフェーズ２登録テーブル３６の「サブフレーム番号＝ｎ＋Ｐ」の欄に登録されている端末１００の端末ＩＤを最大ドップラ周波数推定部１６に通知する。そして、最大ドップラ周波数推定部１６がその通知された端末ＩＤの端末１００に対して、第ｎ番サブフレームから第（ｎ＋Ｐ−１）番サブフレームまでの最大ドップラ周波数推定期間に当該端末１００から受信した受信ＳＲＳを用いて最大ドップラ周波数を推定する。最大ドップラ周波数推定部１６は、その最大ドップラ周波数の推定値を端末ＩＤと共にＵＥ管理部３０へ通知する。ＵＥ管理部３０は、その通知された最大ドップラ周波数の推定値を推定基準値として端末ＩＤと共に記録する。
【００４２】
図１１において、第ｎ番サブフレームから第（ｎ＋Ｐ−１）番サブフレームまでの最大ドップラ周波数推定期間に端末１００から受信した受信ＳＲＳを用いて、最大ドップラ周波数の推定値（推定基準値）が算出されている。
【００４３】
次いで、ステップＳ２２では、ＵＥ管理部３０がフェーズ２登録テーブル３６の「サブフレーム番号＝ｎ＋Ｐ」の欄に登録されている端末１００の端末ＩＤを推定基準値と共にスケジューリング部３２に通知する。そして、スケジューリング部３２がその通知された端末ＩＤの端末１００に対して、当該端末１００の推定基準値に基づいて、第（ｎ＋Ｐ）番サブフレームから始まるチャネル品質測定期間のＳＲＳ関連パラメータを割り当てることができるか否かを判定する。スケジューリング部３２は、当該端末１００に対して、第（ｎ＋Ｐ）番サブフレームから始まるチャネル品質測定期間のＳＲＳ関連パラメータを割り当てることができる場合には、当該端末１００の推定基準値に基づいて、該チャネル品質測定期間のＳＲＳ関連パラメータを割り当てる。スケジューリング部３２は、当該端末１００に対するＳＲＳ関連パラメータの割当結果をＳＲＳ関連パラメータ通知部２０へ通知する。ＳＲＳ関連パラメータ通知部２０は、当該端末１００へ、該ＳＲＳ関連パラメータの割当結果を通知する。
【００４４】
図１１において、第（ｎ＋Ｐ）番サブフレームから始まるチャネル品質測定期間は、第（ｎ＋Ｐ）番サブフレームから第（ｎ＋Ｐ＋Ｑ−１）番サブフレームまでのＱ個のサブフレームから成る。チャネル品質測定期間の長さ（サブフレーム数：Ｑ）は、予め設定され、情報入力部１２から入力される。なお、チャネル品質測定期間の長さＱ（単位はｍＳ）は、例えば、次式により決定することができる。
Ｑ＝Ｔ２＿ＳＲＳ×ｃｅｉｌ（Ｐ÷Ｔ１＿ＳＲＳ）
但し、Ｔ１＿ＳＲＳは最大ドップラ周波数推定期間におけるＳＲＳ送信周期（単位はｍＳ）、Ｔ２＿ＳＲＳはチャネル品質測定期間におけるＳＲＳ送信周期（単位はｍＳ）、Ｐは最大ドップラ周波数推定期間の長さ（単位はｍＳ）である。ｃｅｉｌ（Ｘ）はＸの値以上の最小の整数である。
【００４５】
ステップＳ２２の結果、ＳＲＳ関連パラメータを割り当てることができる場合にはステップＳ２４に進み（ステップＳ２３、ＹＥＳ）、ＳＲＳ関連パラメータを割り当てることができない場合にはステップＳ２５に進む（ステップＳ２３、ＮＯ）。
【００４６】
ステップＳ２４では、ＵＥ管理部３０が、ステップＳ２２でＳＲＳ関連パラメータを割り当てることができると判定された端末１００を追従判定フェーズ登録テーブル３８の「サブフレーム番号＝ｎ＋Ｐ＋Ｑ」の欄に登録する。
【００４７】
図８に追従判定フェーズ登録テーブル３８の構成例が示されている。図８の例では、図７のフェーズ２登録テーブル３６の「サブフレーム番号＝ｎ＋Ｐ」の欄に登録されている端末１００（端末ＩＤ：ＵＥ＿Ａ）に対して第（ｎ＋Ｐ）番サブフレームから始まるチャネル品質測定期間のＳＲＳ関連パラメータを割り当てることができると判定され、該端末１００（端末ＩＤ：ＵＥ＿Ａ）が追従判定フェーズ登録テーブル３８の「サブフレーム番号＝ｎ＋Ｐ＋Ｑ」の欄に登録されている。
【００４８】
ステップＳ２５では、ＵＥ管理部３０が、ステップＳ２２でＳＲＳ関連パラメータを割り当てることができないと判定された端末１００をフェーズ２登録テーブル３６の「サブフレーム番号＝ｎ＋Ｐ＋１」の欄に登録する。この端末１００に対しては、現対象サブフレームが第（ｎ＋Ｐ＋１）番サブフレームになった時に、再度、図４の処理（但し、推定基準値は算出済みであるので、ステップＳ２１の推定基準値の算出処理は除く）が実行される。
【００４９】
次に図５の処理を説明する。図５の処理は、現対象サブフレームが第（ｎ＋Ｐ＋Ｑ）番サブフレームになった時に開始される。ステップＳ３１では、ＵＥ管理部３０が追従判定フェーズ登録テーブル３８の「サブフレーム番号＝ｎ＋Ｐ＋Ｑ」の欄に登録されている端末１００の端末ＩＤを最大ドップラ周波数推定部１６に通知する。そして、最大ドップラ周波数推定部１６がその通知された端末ＩＤの端末１００に対して、第（ｎ＋Ｐ）番サブフレームから第（ｎ＋Ｐ＋Ｑ−１）番サブフレームまでのチャネル品質測定期間に当該端末１００から受信した受信ＳＲＳを用いて最大ドップラ周波数を推定する。最大ドップラ周波数推定部１６は、その最大ドップラ周波数の推定値を端末ＩＤと共にＵＥ管理部３０へ通知する。ＵＥ管理部３０は、その通知された最大ドップラ周波数の推定値を推定追従値として端末ＩＤと共に記録する。
【００５０】
次いで、ステップＳ３２では、ＵＥ管理部３０が追従判定フェーズ登録テーブル３８の「サブフレーム番号＝ｎ＋Ｐ＋Ｑ」の欄に登録されている端末１００に対して、推定基準値と推定追従値との差分を算出する。次いで、ステップＳ３３では、ＵＥ管理部３０は、その差分が所定の許容範囲内であるかを判定する。この結果、差分が許容範囲内である場合にはステップＳ３４に進み（ステップＳ３３、ＹＥＳ）、差分が許容範囲外である場合にはステップＳ３５に進む（ステップＳ３３、ＮＯ）。
【００５１】
ステップＳ３４では、ＵＥ管理部３０は、推定基準値と推定追従値との差分が許容範囲内である端末１００を追従判定フェーズ登録テーブル３８の「サブフレーム番号＝現対象サブフレーム番号＋Ｑ」の欄に登録する。
【００５２】
図９に追従判定フェーズ登録テーブル３８の構成例が示されている。図９の例では、図８の追従判定フェーズ登録テーブル３８の「サブフレーム番号＝ｎ＋Ｐ＋Ｑ」の欄に登録されている端末１００（端末ＩＤ：ＵＥ＿Ａ）に対して推定基準値と推定追従値との差分が判定された結果、合格となり、該端末１００（端末ＩＤ：ＵＥ＿Ａ）が追従判定フェーズ登録テーブル３８の「サブフレーム番号＝現対象サブフレーム番号（ｎ＋Ｐ＋Ｑ）＋Ｑ」の欄に登録されている。
【００５３】
図１１において、第（ｎ＋Ｐ）番サブフレームから第（ｎ＋Ｐ＋Ｑ−１）番サブフレームまでのチャネル品質測定期間に端末１００から受信した受信ＳＲＳを用いて最大ドップラ周波数の推定値（推定追従値）が算出され、推定基準値と推定追従値との差分が判定された結果、合格となっている。これにより、当該端末１００に対して、第（ｎ＋Ｐ＋Ｑ）番サブフレームから第（ｎ＋Ｐ＋Ｑ＋Ｑ−１）番サブフレームまでの次のチャネル品質測定期間が有効になる。
【００５４】
ステップＳ３５では、ＵＥ管理部３０は、推定基準値と推定追従値との差分が許容範囲外である端末１００に対して、推定基準値と推定追従値との差分が不合格となった連続回数を１増加する。なお、該連続回数の初期値は０である。
【００５５】
次いで、ステップＳ３６では、ＵＥ管理部３０は、該連続回数が所定の許容範囲内であるかを判定する。この結果、連続回数が許容範囲内である場合にはステップＳ３４に進み（ステップＳ３６、ＹＥＳ）、連続回数が許容範囲外である場合にはステップＳ３７に進む（ステップＳ３６、ＮＯ）。
【００５６】
ステップＳ３７では、ＵＥ管理部３０は、推定基準値と推定追従値との差分が不合格となった連続回数が許容範囲外である端末１００をフェーズ１登録テーブル３４の「サブフレーム番号＝現対象サブフレーム番号＋１」の欄に登録する。
【００５７】
図１０にフェーズ１登録テーブル３４の構成例が示されている。図１０の例では、推定基準値と推定追従値との差分が不合格となった連続回数の許容範囲は１回までであり、２回以上連続して不合格は許容範囲外である。図１０において、図９の追従判定フェーズ登録テーブル３８の「サブフレーム番号＝ｎ＋Ｐ＋Ｑ＋Ｑ」の欄に登録されている端末１００（端末ＩＤ：ＵＥ＿Ａ）に対して、第（ｎ＋Ｐ＋Ｑ＋Ｑ）番サブフレームの時には推定基準値と推定追従値との差分が合格であったが、現対象サブフレームが第（ｎ＋Ｐ＋３×Ｑ）番サブフレームの時および第（ｎ＋Ｐ＋４×Ｑ）番サブフレームの時には推定基準値と推定追従値との差分が連続して不合格となった。これにより、推定基準値と推定追従値との差分が不合格となった連続回数「２回」が許容範囲外になったため、当該端末１００（端末ＩＤ：ＵＥ＿Ａ）がフェーズ１登録テーブル３４の「サブフレーム番号＝現対象サブフレーム番号（ｎ＋Ｐ＋４×Ｑ）＋１」の欄に登録されている。これにより、当該端末１００（端末ＩＤ：ＵＥ＿Ａ）に対して、チャネル品質測定期間から最大ドップラ周波数推定期間への切り替えが行われる。
【００５８】
図１１の例では、推定基準値と推定追従値との差分が不合格となった連続回数の許容範囲は１回までであり、２回以上連続して不合格は許容範囲外である。図１１において、推定基準値と推定追従値との差分は、現対象サブフレームが第（ｎ＋Ｐ＋Ｑ）番サブフレームの時および第（ｎ＋Ｐ＋２×Ｑ）番サブフレームの時には合格であったが、現対象サブフレームが第（ｎ＋Ｐ＋３×Ｑ）番サブフレームの時および第（ｎ＋Ｐ＋４×Ｑ）番サブフレームの時には連続して不合格となった。これにより、推定基準値と推定追従値との差分が不合格となった連続回数「２回」が許容範囲外になったため、当該端末１００に対して、チャネル品質測定期間から最大ドップラ周波数推定期間への切り替えを行う。この場合、現対象サブフレームが第（ｎ＋Ｐ＋４×Ｑ＋１）番サブフレームになった時に図３の処理が開始され、当該端末１００に対して、第（ｎ＋Ｐ＋４×Ｑ＋１）番サブフレームから始まる最大ドップラ周波数推定期間のＳＲＳ関連パラメータを割り当てることができるか否かが判定される。
【００５９】
次に、ＳＲＳ関連パラメータを割り当てる方法について説明する。
【００６０】
図１２に、一般的なＳＲＳ送信スケジュールの例を示す。図１２の例では、srs-BandwidthConfigはＲＢ数が４８である。又、端末１００（端末ＩＤ：ＵＥ＿Ａ）のsrs-BandwidthはＲＢ数が２４、端末１００（端末ＩＤ：ＵＥ＿Ｂ）のsrs-BandwidthはＲＢ数が１２、端末１００（端末ＩＤ：ＵＥ＿Ｃ）のsrs-BandwidthはＲＢ数が４である。又、各端末１００（端末ＩＤ：ＵＥ＿Ａ、ＵＥ＿Ｂ、ＵＥ＿Ｃ）に対して同一のtransmissionComb、cyclicShift及びsrs-ConfigIndexを適用する。又、端末１００（端末ＩＤ：ＵＥ＿Ａ）のnRRCは０、端末１００（端末ＩＤ：ＵＥ＿Ｂ）のnRRCは６、端末１００（端末ＩＤ：ＵＥ＿Ｃ）のnRRCは９である。又、srs-HoppingBandwidthは０である。これにより、図１２に示されるような、ＳＲＳ送信ごとの各端末１００（端末ＩＤ：ＵＥ＿Ａ、ＵＥ＿Ｂ、ＵＥ＿Ｃ）のＳＲＳ帯域の物理ポジションが実現される。
【００６１】
本実施形態においてスケジューリング部３２は、最大ドップラ周波数推定期間のＳＲＳ関連パラメータの割り当てとチャネル品質測定期間のＳＲＳ関連パラメータの割り当てとが衝突しないように、最大ドップラ周波数推定期間とチャネル品質測定期間とでＳＲＳを配置するサブキャリアを区別する。例えば、奇数サブキャリアと偶数サブキャリアとを使い分けすることが挙げられる。この場合、例えば、最大ドップラ周波数推定期間のＳＲＳは奇数サブキャリアに配置し、チャネル品質測定期間のＳＲＳは偶数サブキャリアに配置する。又は、その逆であってもよい。これにより、最大ドップラ周波数推定期間のＳＲＳ関連パラメータの割り当てとチャネル品質測定期間のＳＲＳ関連パラメータの割り当てとは完全に独立して行うことができる。従って、最大ドップラ周波数推定期間のＳＲＳ関連パラメータの割り当てとチャネル品質測定期間のＳＲＳ関連パラメータの割り当てとを、並行して行ってもよく、或いは、順番に行ってもよい。
【００６２】
［最大ドップラ周波数推定期間のＳＲＳ関連パラメータの割り当て方法］
最大ドップラ周波数推定期間のＳＲＳ関連パラメータを割り当てる方法を説明する。
（１）一般的に、端末の最大ドップラ周波数を推定する方法では、レイリー波のインパルス応答の時間相関ρ（τ）が第１種０次ベッセル関数を用いて表すことができることを利用して、端末の最大ドップラ周波数を推定する。無線通信システムにおいて、レイリー波のインパルス応答を求めるには、できる限り広い帯域に渡って最大ドップラ周波数推定用の信号を配置することが望ましい。従って、できる限り広い帯域に渡って最大ドップラ周波数推定用の信号を配置することによって、最大ドップラ周波数を精度よく推定することができる。このことから、最大ドップラ周波数を精度よく推定するために、最大ドップラ周波数推定期間のＳＲＳスケジューリング対象端末に対して、できる限り広いＳＲＳ送信帯域（srs-Bandwidth）を割り当てる。
【００６３】
具体的には、ＳＲＳスケジューリング対象端末の最大送信電力および所望受信品質に基づいて、ＳＲＳスケジューリング対象端末の送信可能帯域を求める。このとき、ＳＲＳスケジューリング対象端末の送信可能帯域を求めることができない場合には、送信可能帯域の所定のデフォルト値を使用する。そして、ＬＴＥシステムがサポートするＳＲＳ帯域においてとり得る端末ごとのＳＲＳ帯域の中から、ＳＲＳスケジューリング対象端末の送信可能帯域以下となる最大のＳＲＳ帯域をＳＲＳスケジューリング対象端末のsrs-Bandwidthに設定する。
【００６４】
図１３に、非特許文献１から抜粋したＬＴＥ規格を示す。図１３に示すＬＴＥ規格は、ＬＴＥシステムのシステム帯域が「ＲＢ数＝５０」である場合に、ＬＴＥシステムがサポートする端末ごとのＳＲＳ帯域「ｍＳＲＳ，０、ｍＳＲＳ，１、ｍＳＲＳ，２、ｍＳＲＳ，３」及び項番「ＢＳＲＳ」である。例えば、ＬＴＥシステムのＳＲＳ帯域が「ＣＳＲＳ＝０」である基地局２では、ＳＲＳスケジューリング対象端末の送信可能帯域が「ＲＢ数＝２０」である場合、「ｍＳＲＳ，０、ｍＳＲＳ，１、ｍＳＲＳ，２、ｍＳＲＳ，３」のうちＲＢ数が２０以下である「ＢＳＲＳ」は「ＢＳＲＳ＝２」及び「ＢＳＲＳ＝３」であり、そのうちの項番の最小値「ＢＳＲＳ＝２」に対応する端末ごとのＳＲＳ帯域「ｍＳＲＳ，２：ＲＢ数＝１２」をＳＲＳスケジューリング対象端末のsrs-Bandwidthに設定する。
【００６５】
（２）現対象サブフレームにおいて、最大ドップラ周波数推定期間のＳＲＳスケジューリング対象端末が複数存在する場合には、送信データ量の多い端末を優先して、最大ドップラ周波数推定期間のＳＲＳ関連パラメータを割り当てる。
【００６６】
（３）最大ドップラ周波数を精度よく推定するために、周波数軸におけるＳＲＳのホッピングを行わない。従って、「srs-HoppingBandwidth＝３」に設定する。
【００６７】
（４）ＳＲＳを連続的に送信する。従って、durationを「indefinite」に設定する。
【００６８】
（５）本実施例では、最大ドップラ周波数推定期間のＳＲＳは奇数サブキャリアに配置する。従って、「transmissionComb＝０」に設定する。
【００６９】
（６）cyclicShift、freqDomainPosition及びsrs-ConfigIndexを決定する方法を説明する。
異なる端末間におけるＳＲＳ多重方法には、freqDomainPositionを用いた周波数多重、srs-ConfigIndexの送信サブフレーム・オフセット値を用いた時間多重、及びcyclicShiftを用いた符号多重の三種類がある。ＳＲＳ多重方法の順位は、ＬＴＥシステムのポリシーに従って決定される。図１４及び図１５に、ＳＲＳ多重方法の選択手順が示されている。
【００７０】
図１４は、収容端末数の最大化がＬＴＥシステムのポリシーである場合のＳＲＳ多重方法の選択手順を示すフローチャートである。図１４では、符号多重、周波数多重、時間多重の順番でＳＲＳスケジューリング対象端末に対するＳＲＳ関連パラメータ割当を試みる。図１４において、まずステップＳ１０１で符号多重が可能であるか判定し、符号多重が可能であればステップＳ１０２で符号多重を行う場合のcyclicShift、freqDomainPosition及びsrs-ConfigIndexを決定する。一方、符号多重が不可能であればステップＳ１０３で周波数多重が可能であるか判定し、周波数多重が可能であればステップＳ１０４で周波数多重を行う場合のcyclicShift、freqDomainPosition及びsrs-ConfigIndexを決定する。一方、周波数多重も不可能であればステップＳ１０５でsrs-BandwidthConfigで表せる帯域を割当可能な送信サブフレーム・オフセット値があるか判定し、送信サブフレーム・オフセット値があればステップＳ１０６で時間多重を行う場合のcyclicShift、freqDomainPosition及びsrs-ConfigIndexを決定する。
【００７１】
図１５は、異なる端末間におけるＳＲＳの相互干渉の最小化がＬＴＥシステムのポリシーである場合のＳＲＳ多重方法の選択手順を示すフローチャートである。図１５では、周波数多重、時間多重、符号多重の順番でＳＲＳスケジューリング対象端末に対するＳＲＳ関連パラメータ割当を試みる。図１５において、まずステップＳ２０１で周波数多重が可能であるか判定し、周波数多重が可能であればステップＳ２０２で周波数多重を行う場合のcyclicShift、freqDomainPosition及びsrs-ConfigIndexを決定する。一方、周波数多重が不可能であればステップＳ２０３でsrs-BandwidthConfigで表せる帯域を割当可能な送信サブフレーム・オフセット値があるか判定し、送信サブフレーム・オフセット値があればステップＳ２０４で時間多重を行う場合のcyclicShift、freqDomainPosition及びsrs-ConfigIndexを決定する。一方、時間多重も不可能であればステップＳ２０５で符号多重が可能であるか判定し、符号多重が可能であればステップＳ２０６で符号多重を行う場合のcyclicShift、freqDomainPosition及びsrs-ConfigIndexを決定する。
【００７２】
次に、周波数多重を行う場合のcyclicShift、freqDomainPosition及びsrs-ConfigIndexを説明する。
最大ドップラ周波数推定期間のＳＲＳ関連パラメータを割り当て済みの端末１００を周波数多重候補端末とする。そして、周波数多重候補端末のnRRC以外の空き帯域であるnRRCの中に、周波数多重候補端末の送信サブフレーム・オフセット値及びcyclicShiftを用いて次の条件式を満足するnRRCが存在すれば、周波数多重することができると判定する。
nRRC mod （srs-Bandwidth ÷ ４）＝０
但し、srs-Bandwidthの最小単位はＲＢ数が４である。Ａ mod（B）はＡをＢで割ったときの余りである。
【００７３】
周波数多重する場合、上記の条件式を満足するnRRCの最小値をＳＲＳスケジューリング対象端末のfreqDomainPositionに設定する。そして、周波数多重する相手である端末１００の送信サブフレーム・オフセット値および最大ドップラ周波数推定期間におけるＳＲＳ送信周期をＳＲＳスケジューリング対象端末のsrs-ConfigIndexに設定し、割当可能なCyclic ShiftのうちからCyclic Shift識別子が最小であるCyclic ShiftをＳＲＳスケジューリング対象端末のCyclic Shiftに設定する。最大ドップラ周波数推定期間におけるＳＲＳ送信周期は、予め設定され、情報入力部１２から入力される。
【００７４】
次に、時間多重を行う場合のcyclicShift、freqDomainPosition及びsrs-ConfigIndexを説明する。
時間多重を行う対象のサブフレームにおいて、srs-BandwidthConfigにより表されるＳＲＳ送信帯域を割り当てることができれば、時間多重することができると判定する。時間多重する場合、「nRRC＝０」をＳＲＳスケジューリング対象端末のfreqDomainPositionに設定する。そして、時間多重する相手である端末１００の送信サブフレーム・オフセット値および最大ドップラ周波数推定期間におけるＳＲＳ送信周期をＳＲＳスケジューリング対象端末のsrs-ConfigIndexに設定し、割当可能なCyclic ShiftのうちからCyclic Shift識別子が最小であるCyclic ShiftをＳＲＳスケジューリング対象端末のCyclic Shiftに設定する。最大ドップラ周波数推定期間におけるＳＲＳ送信周期は、予め設定され、情報入力部１２から入力される。
【００７５】
次に、符合多重を行う場合のcyclicShift、freqDomainPosition及びsrs-ConfigIndexを説明する。
最大ドップラ周波数推定期間のＳＲＳ関連パラメータを割り当て済みの端末１００と同じsrs-Bandwidthを持つＳＲＳスケジューリング対象端末は、符号多重することができると判定する。符号多重する場合、符合多重する相手である端末１００のfreqDomainPosition及びsrs-ConfigIndexをＳＲＳスケジューリング対象端末に同様に設定する。そして、割当可能なCyclic Shiftのうちから符合多重する相手である端末１００のcyclic shiftとは異なるcyclic shiftをＳＲＳスケジューリング対象端末のcyclic shiftに設定する。
【００７６】
［チャネル品質測定期間のＳＲＳ関連パラメータの割り当て方法］
チャネル品質測定期間のＳＲＳ関連パラメータを割り当てる方法を説明する。
【００７７】
（１）ＳＲＳスケジューリング対象端末の最大送信電力および所望受信品質に基づいて、ＳＲＳスケジューリング対象端末の送信可能帯域を求める。このとき、ＳＲＳスケジューリング対象端末の送信可能帯域を求めることができない場合には、送信可能帯域の所定のデフォルト値を使用する。又、ＳＲＳスケジューリング対象端末の推定基準値およびチャネル品質測定期間におけるＳＲＳ送信周期に基づいて、ＳＲＳスケジューリング対象端末の所要ＳＲＳ送信帯域を求める。チャネル品質測定期間におけるＳＲＳ送信周期は、予め設定され、情報入力部１２から入力される。なお、端末のチャネル品質変動周期を表すコヒーレンス時間は、端末の最大ドップラ周波数の逆数に正比例する。
【００７８】
ＳＲＳスケジューリング対象端末の送信可能帯域がＳＲＳスケジューリング対象端末の所要ＳＲＳ送信帯域よりも大きい場合には、選択可能なＳＲＳ送信帯域の中から、所要ＳＲＳ送信帯域以上、且つ、送信可能帯域以下である最小のＳＲＳ送信帯域をＳＲＳスケジューリング対象端末のsrs-Bandwidthに設定する。
【００７９】
一方、ＳＲＳスケジューリング対象端末の送信可能帯域がＳＲＳスケジューリング対象端末の所要ＳＲＳ送信帯域以下である場合には、選択可能なＳＲＳ送信帯域の中から、送信可能帯域以下である最大のＳＲＳ送信帯域をＳＲＳスケジューリング対象端末のsrs-Bandwidthに設定する。
【００８０】
図１３に示すＬＴＥ規格におけるsrs-Bandwidthの具体例を説明する。ＬＴＥシステムのシステム帯域が「ＲＢ数＝５０」であって、例えば、ＬＴＥシステムのＳＲＳ帯域が「ＣＳＲＳ＝０」である基地局２では、ＳＲＳスケジューリング対象端末の、送信可能帯域が「ＲＢ数＝３０」、所要ＳＲＳ送信可能帯域が「ＲＢ数＝１０」である場合、「ｍＳＲＳ，０、ｍＳＲＳ，１、ｍＳＲＳ，２、ｍＳＲＳ，３」のうちＲＢ数が１０以上且つ３０以下である「ＢＳＲＳ」は「ＢＳＲＳ＝１」及び「ＢＳＲＳ＝２」であり、そのうちの項番の最大値「ＢＳＲＳ＝２」に対応する端末ごとのＳＲＳ帯域「ｍＳＲＳ，２：ＲＢ数＝１２」をＳＲＳスケジューリング対象端末のsrs-Bandwidthに設定する。
【００８１】
（２）現対象サブフレームにおいて、チャネル品質測定期間のＳＲＳスケジューリング対象端末が複数存在する場合には、送信データ量の多い端末を優先して、チャネル品質測定期間のＳＲＳ関連パラメータを割り当てる。
【００８２】
（３）周波数ダイバーシティ（Diversity）のゲインを得るために、ＬＴＥシステムのＳＲＳ帯域に渡って周波数軸におけるＳＲＳのホッピングを行う。従って、「srs-HoppingBandwidth＝０」に設定する。
【００８３】
（４）ＳＲＳを連続的に送信する。従って、durationを「indefinite」に設定する。
【００８４】
（５）本実施例では、チャネル品質測定期間のＳＲＳは偶数サブキャリアに配置する。従って、「transmissionComb＝１」に設定する。なお、本実施例では、最大ドップラ周波数推定期間のＳＲＳは奇数サブキャリアに配置する。
【００８５】
（６）cyclicShift、freqDomainPosition及びsrs-ConfigIndexは、上述した最大ドップラ周波数推定期間の場合と同様に設定する。但し、多重する相手の端末１００は、チャネル品質測定期間のＳＲＳ関連パラメータを割り当て済みの端末１００である。
【００８６】
上述した実施形態によれば、ＳＲＳ送信スケジュールに最大ドップラ周波数推定期間とチャネル品質測定期間とを設け、最大ドップラ周波数推定期間に対して最大ドップラ周波数を推定するために適したＳＲＳ送信スケジュールを作成し、チャネル品質測定期間に対して、最大ドップラ周波数推定期間に基地局で受信したＳＲＳを用いて推定された最大ドップラ周波数に基づいて、ＳＲＳ送信スケジュールを作成する。このＳＲＳ送信スケジュールによれば、最大ドップラ周波数推定期間によって最大ドップラ周波数を精度よく推定することができる。そして、端末のチャネル品質変動周期を表すコヒーレンス時間は端末の最大ドップラ周波数の逆数に正比例することから、その高精度の最大ドップラ周波数推定値（推定基準値）に基づいて、チャネル品質測定期間に対し、端末のチャネル品質変動周期に沿ったＳＲＳ送信スケジュールを作成することができる。これにより、上りリンクの無線リソースを効率的に使用することができるようになる。
【００８７】
又、チャネル品質測定期間に基地局で受信したＳＲＳを用いて推定された最大ドップラ周波数（推定追従値）と推定基準値との差分が許容範囲外になった時に、チャネル品質測定期間から最大ドップラ周波数推定期間へ切り替えることにより、実情に即した推定基準値に更新することができる。これにより、チャネル品質測定期間のＳＲＳ送信スケジュールに対して一定の品質を維持することができるようになる。
【００８８】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００８９】
２…基地局、１０…ＳＲＳスケジューラ、１２…情報入力部、１４…チャネル品質測定部、１６…最大ドップラ周波数推定部、１８…ＳＲＳ受信部、２０…ＳＲＳ関連パラメータ通知部、３０…端末（ＵＥ）管理部、３２…スケジューリング部、３４…フェーズ１登録テーブル、３６…フェーズ２登録テーブル、３８…追従判定フェーズ登録テーブル
【図１】
2011193124.tif 000003
【図２】
2011193124.tif 000004
【図３】
2011193124.tif 000005
【図４】
2011193124.tif 000006
【図５】
2011193124.tif 000007
【図６】
2011193124.tif 000008
【図７】
2011193124.tif 000009
【図８】
2011193124.tif 000010
【図９】
2011193124.tif 000011
【図１０】
2011193124.tif 000012
【図１１】
2011193124.tif 000013
【図１２】
2011193124.tif 000014
【図１３】
2011193124.tif 000015
【図１４】
2011193124.tif 000016
【図１５】
2011193124.tif 000017